(57)【特許請求の範囲】
【請求項１】
所要領域を入賞または通過した第１遊技球とその後に前記所要領域を入賞または通過した第２遊技球とを検出する第１検出手段と、大入賞口に対して入賞容易な第１姿勢と入賞困難な第２姿勢とに変更可能な可動体、前記大入賞口から入賞した第３遊技球を検出可能な第２検出手段及びＶゾーンを有する入賞装置と、を具備し、
前記所要領域を入賞または通過した第１遊技球が前記第１検出手段により検出された場合、所要のパターンに従って、前記可動体が前記大入賞口に対して第２姿勢から第１姿勢に第１期間変更され、当該可動体の姿勢変更により大入賞口から入賞した第３遊技球が、前記Ｖゾーンに入りＶセンサにより検出された場合、当該可動体が第１姿勢に変更されて遊技者が有利となる大当たり遊技を実行可能な遊技機において、
前記入賞装置の可動体が大入賞口に対して第２姿勢から第１姿勢に前記第１期間変更される間に、前記第２遊技球が前記所要領域を入賞または通過した際には、前記第１検出手段が当該第２遊技球を検出した時点である第１時期を記録する記録手段と、
前記入賞装置の可動体が大入賞口に対して第２姿勢から第１姿勢に前記第１期間変更される間に、前記第２検出手段が当該大入賞口から入賞した少なくとも一個の第３遊技球を検出した場合、この第３遊技球を検出した時点である基準時から、予め設定されている第２期間を遡って、前記第１検出手段による第２遊技球の検出を有効とする第２時期を設定する手段と、
前記入賞装置の可動体が姿勢変更された前記第１期間が終了し、前記記録手段により記録された前記第２遊技球の第１時期と、前記第１検出手段による第２遊技球の検出を有効とする前記第２時期とを、時系列で比較して、当該第２時期が前記第１時期以前である場合に、前記第１検出手段による第２遊技球の検出を有効と決定する効力決定手段と、
を備えた遊技機。
【請求項２】
所要領域を入賞または通過した第１遊技球とその後に前記所要領域を入賞または通過した第２遊技球とを検出する第１検出手段と、大入賞口に対して入賞容易な第１姿勢と入賞困難な第２姿勢とに変更可能な可動体、前記大入賞口から入賞した第３遊技球を検出可能な第２検出手段及びＶゾーンを有する入賞装置と、を具備し、
前記所要領域を入賞または通過した第１遊技球が前記第１検出手段により検出された場合、所要のパターンに従って、前記可動体が前記大入賞口に対して第２姿勢から第１姿勢に第１期間変更され、当該可動体の姿勢変更により大入賞口から入賞した第３遊技球が、前記Ｖゾーンに入りＶセンサにより検出された場合、当該可動体が第１姿勢に変更されて遊技者が有利となる大当たり遊技を実行可能な遊技機において、
前記入賞装置の可動体が大入賞口に対して第２姿勢から第１姿勢に前記第１期間変更される間に、前記第２遊技球が当該所要領域を入賞または通過した際には、前記第１検出手段が当該第２遊技球を検出した時点である第１時期を記録する記録手段と、
前記入賞装置の可動体が大入賞口に対して第２姿勢から第１姿勢に前記第１期間変更された間に、当該大入賞口に前記第３遊技球の入賞が無く、前記第２検出手段が前記第３遊技球を検出しない場合に、当該第１期間の終了時点から、予め設定されている第２期間を遡って、前記第１検出手段による第２遊技球の検出を有効とする第２時期を設定する手段と、
前記入賞装置の可動体が姿勢変更された前記第１期間が終了し、前記記録手段により記録された前記第２遊技球の第１時期と、前記第１検出手段による第２遊技球の検出を有効とする前記第２時期とを、時系列で比較して、当該第２時期が前記第１時期以前である場合に、前記第１検出手段による第２遊技球の検出を有効と決定する効力決定手段と、を備えた遊技機。
【請求項３】
請求項１または２に記載した遊技機において、
前記効力決定手段が、前記第１検出手段による第２遊技球の検出を有効と決定した場合には、所要のパターンに従って前記入賞装置の可動体が、再度、前記大入賞口に対して第２姿勢から第１姿勢に第１期間変更されるようにした遊技機。
【請求項４】
請求項１から３のいずれか一項に記載した遊技機において、
前記第１検出手段を具備する前記所要領域を複数備えて、
前記入賞装置は、前記大入賞口に対応して設けられる可動体を、当該入賞装置の左右にそれぞれ設けると共に、前記第２検出手段を、当該可動体の第１姿勢への変更により大入賞口から入賞する第３遊技球を直ちに検出可能な位置にそれぞれ配設した遊技機。
【発明の詳細な説明】
【０００１】
【発明の属する技術分野】
本発明は、少なくとも第１検出手段，記録手段，入賞装置，姿勢制御手段を備えた遊技機に関する。
【０００２】
【従来の技術】
遊技機の一つであるパチンコ機は、始動口センサを備えた始動口と、大入賞口の開閉を行う羽根，大入賞口に入ったパチンコ球を検出する入賞センサ，Ｖセンサを備えたＶゾーンを備えた電動役物等とを有する。この構成におけるパチンコ機では始動口に入賞したパチンコ球を始動口センサが検出すると、インターバル期間（例えば３秒間）を経過した後に大入賞口開放期間（例えば４秒間）だけ羽根を一回開放するかあるいは断続して複数回開放する。羽根が開くと大入賞口にパチンコ球が入賞可能になり、当該大入賞口に入ったパチンコ球を入賞センサが検出するとＶセンサの作動を有効にする。そのＶセンサはＶゾーンに入賞したパチンコ球を検出するセンサである。Ｖセンサの作動が有効であるときにパチンコ球がＶゾーンに入賞すると、大当たりとなって大当たり遊技を行う。そして大入賞口開放期間を経過し、さらに一定期間（例えば２秒間）を経過した後、遡ってＶセンサの作動を無効にしていた。よって、Ｖセンサの作動はパチンコ球が始動口に入賞してから有効期間（すなわちインターバル期間，大入賞口開放期間，一定期間の合計）だけ有効になる。
【０００３】
ところで、前回の始動口への入賞に基づいて大入賞口に入ったパチンコ球が電動役物内に残存し、今回の始動口への入賞した後に当該残存したパチンコ球がＶゾーンに入賞するケースが考えられる。このケースによるＶゾーンの入賞は不適正な入賞とされ、当該入賞を排除するために上述したように遡ってＶセンサの作動を無効にしている。したがって、Ｖセンサの作動が無効になってしたときにＶゾーンに入賞したパチンコ球に対しては賞球を払い出すものの、大当たりとはしなかった。
【０００４】
一方、パチンコ球が始動口に入賞した後であって上記有効期間の一部は、羽根を開放して大入賞口に入賞可能とならないように始動口の作動を無効にしている。かかる始動口の作動が無効になる無効期間の長さは、上述した有効期間からインターバル期間を差し引いた無効期間（すなわち大入賞口開放期間，一定期間の合計）にほぼ等しい。よって、始動口の作動が無効になっているときにパチンコ球が始動口に入賞すると賞球の払い出しは行うものの、当該入賞に基づいては羽根を開放しない。
【０００５】
【発明が解決しようとする課題】
しかし、従来のパチンコ機では、大入賞口にパチンコ球が入賞するか否かにかかわらず始動口にかかる無効期間を一律に設定していた。ところが大入賞口に入ったパチンコ球を入賞センサが検出したときは、大入賞口にパチンコ球が入賞したことが明らかになる。よって、無効期間を一律に設定した場合には、大入賞口にパチンコ球が入賞した後であっても、大入賞口開放期間中に始動口に入賞したパチンコ球は無効となってしまう。こうしたことから大入賞口にパチンコ球が入賞したことが明らかになった後は、始動口の作動を有効にして羽根を開放する機会を与えることが要請されている。
本発明はこのような点に鑑みてなされたものであり、大入賞口にパチンコ球が入賞したか否かに応じて始動口の作動を無効にする期間を弾力的に伸縮して、羽根を開放する機会をより多く与える遊技機を提供することを目的とする。
【０００６】
【課題を解決するための手段１】
課題を解決するための手段１は、所要領域を入賞または通過した第１遊技球とその後に前記所要領域を入賞または通過した第２遊技球とを検出する第１検出手段と、前記第２遊技球を前記第１検出手段が検出した第１時期を記録する記録手段と、入賞容易な第１姿勢と入賞困難な第２姿勢との間で姿勢を変更可能な可動体および前記可動体が前記第１姿勢である間に入賞した第３遊技球を検出する第２検出手段を備えた入賞装置と、前記第１遊技球の入賞または通過に基づいて第１期間だけ所要パターンに従って前記可動体の姿勢の変更を制御する姿勢制御手段とを備えた遊技機において、前記姿勢制御手段は、前記第１期間中に前記第２検出手段が少なくとも一個の前記第３遊技球を検出し、かつ前記第２検出手段がいずれかの前記第３遊技球を検出したときから第２期間を遡った第２時期が前記第１時期よりも前であるときにのみ前記第２遊技球に基づいて前記第１期間だけ前記所要パターンに従って姿勢を変更する遊技機である。ここで、解決手段１に記載した用語については以下のように解釈する。当該解釈は他の解決手段および発明の詳細な説明についても同様である。
（１）「所要領域」は、遊技球の入賞または通過が可能な領域であって遊技機の遊技盤面に設けられているものを意味する。例えば、入賞口（始動口）やゲート等が該当する。
（２）「記録手段」は記録装置や記録媒体であって、第１時期や第２時期等が記録可能な全てのものを含む。例えば、ＲＡＭやＲＯＭ，ディスク装置，ディスク（フロッピー（登録商標），光磁気等）などが該当する。なお、記録には記憶を含む。
（３）「入賞装置」は少なくとも可動体と第２検出手段とを備えていれば形式等を問わない。例えば開閉羽根や開閉蓋等を備えた電動役物装置が該当する。
【０００７】
当該手段１によれば、図１に模式的に示すように、所要領域２を時刻ｔ１に入賞または通過した第１遊技球１ａとその後の時刻ｔ４に所要領域２を入賞または通過した第２遊技球１ｂとを検出する第１検出手段３と、第２遊技球１ｂを第１検出手段３が検出した第１時期ｔｅ（時刻ｔ４）を記録する記録手段８と、入賞容易な第１姿勢と入賞困難な第２姿勢との間で姿勢を変更可能な可動体４および可動体４が第１姿勢である間に入賞した第３遊技球１ｃを検出する第２検出手段７を備えた入賞装置と、第１遊技球１ａの入賞または通過に基づいて第１期間ｔａ（例えば時刻ｔ２から時刻ｔ７まで）だけ所要パターンに従って可動体４の姿勢の変更を制御する姿勢制御手段５とを備える。このうち姿勢制御手段５は、第１期間ｔａ中に第２検出手段７が少なくとも一個の第３遊技球１ｃを時刻ｔ５に検出し、かつ第２検出手段７がいずれかの第３遊技球１ｃを検出した時刻ｔ５から第２期間（遡及期間ｔｃの長さから一定期間ｔｂの長さを差し引いた長さに相当し、例えば時刻ｔ３ａから時刻ｔ５まで）を遡った第２時期ｔｄが第１時期ｔｅよりも前であるときにのみ第２遊技球１ｂに基づいて第１期間ｔａだけ所要パターンに従って可動体４の姿勢の変更を制御する。なお、特別領域は時刻ｔ１から時刻ｔ８まで有効になっている。
ここで第２時期ｔｄを決定するための基準時を第１期間ｔａを経過した後さらに一定期間ｔｂの終了時（例えば時刻ｔ９）としていた従来に比べると、第３遊技球１ｃを検出したときから第１期間ｔａの終了時（例えば時刻ｔ７）までの期間と当該一定期間ｔｂとを合わせた分だけ第２遊技球１ｂに基づいて可動体４の姿勢を変更させるタイミングが早まる。すなわち上記第２時期ｔｄは、従来では時刻ｔ６となるが、本発明では時刻ｔ３ａとなる。もし第２遊技球１ｂが時刻ｔ４（時刻ｔ３ａから時刻ｔ６までの期間内）に所要領域２を入賞または通過すると、従来では無効となったが、本発明によれば有効となる。よって、従来よりも可動体４の姿勢を変更する機会をより多く与えることができる。
【０００８】
【課題を解決するための手段２】
課題を解決するための手段２は、所要領域を入賞または通過した第１遊技球とその後に前記所要領域を入賞または通過した第２遊技球とを検出する第１検出手段と、前記第２遊技球を前記第１検出手段が検出した第１時期を記録する記録手段と、入賞容易な第１姿勢と入賞困難な第２姿勢との間で姿勢を変更可能な可動体および前記可動体が前記第１姿勢である間に入賞した第３遊技球を検出する第２検出手段を備えた入賞装置と、前記第１遊技球の入賞または通過に基づいて第１期間だけ所要パターンに従って前記可動体の姿勢の変更を制御する姿勢制御手段とを備えた遊技機において、前記姿勢制御手段は、前記第１期間中に前記第２検出手段が前記第３遊技球を検出せず、かつ前記第１期間の終了時から第２期間を遡った第２時期が前記第１時期よりも前であるときにのみ前記第２遊技球に基づいて前記第１期間だけ所要パターンに従って前記可動体の姿勢の変更を制御する遊技機である。当該手段２によれば、図２に模式的に示すように、第１検出手段３，記録手段８，入賞装置の各構成は上記手段１と同様である。姿勢制御手段５は、第１期間ｔａ中に第２検出手段７が第３遊技球１ｃを検出せず、かつ第１期間ｔａの終了時から第２期間を遡った第２時期ｔｄが第１時期ｔｅよりも前であるときにのみ第２遊技球１ｂに基づいて第１期間ｔａだけ所要パターンに従って可動体４の姿勢の変更を制御する。よって第２時期ｔｄを決定するための基準時を第１期間ｔａを経過した後さらに一定期間ｔｂの終了時としていた従来に比べて、当該一定期間ｔｂの分だけ第２遊技球１ｂに基づいて可動体４の姿勢を変更させるタイミングが早まる。すなわち上記第２時期ｔｄは、従来では時刻ｔ６となるが、本発明では時刻ｔ３ｂとなる。もし第２遊技球１ｂが時刻ｔ４（時刻ｔ３ｂから時刻ｔ６までの期間内）に所要領域２を入賞または通過すると、従来では無効となったが、本発明によれば有効となる。したがって、従来よりも可動体４の姿勢を変更する機会をより多く与えることができる。
【０００９】
【課題を解決するための手段３】
課題を解決するための手段３は、解決手段１または２に記載した遊技機において、姿勢制御手段は、第１期間を複数の第３期間で構成した場合には、前記第１期間中に第２検出手段が第３遊技球を検出せず、かつ前記第１期間の終了時から第２期間を遡った第２時期が前記第１時期よりも前であるときにのみ第２遊技球に基づいて前記第１期間だけ所要パターンに従って可動体の姿勢の変更を制御し、前記複数の第３期間のうちいずれかの第３期間中に前記第２検出手段が少なくとも一個の前記第３遊技球を検出し、かつ前記第２検出手段がいずれかの前記第３遊技球を検出したときから第２期間を遡った第２時期が前記第１時期よりも前であるときにのみ前記第２遊技球に基づいて前記第１期間だけ前記所要パターンに従って姿勢を変更する遊技機である。当該手段３によれば、姿勢制御手段５は、第１期間ｔａを複数の第３期間で構成した場合には、第１期間ｔａ中に第２検出手段７が第３遊技球１ｃを検出せずかつ第１期間ｔａの終了時から第２期間を遡った第２時期ｔｄが第１時期ｔｅよりも前であるときにのみ第２遊技球に基づいて第１期間ｔａだけ所要パターンに従って可動体４の姿勢の変更を制御し、複数の第３期間のうちいずれかの第３期間中に第２検出手段７が少なくとも一個の第３遊技球１ｃを検出しかつ第２検出手段７がいずれかの第３遊技球１ｃを検出したときから第２期間を遡った第２時期ｔｄが第１時期ｔｅよりも前であるときにのみ第２遊技球１ｂに基づいて第１期間ｔａだけ所要パターンに従って可動体４の姿勢の変更を制御する。よって特にいずれかの第３期間中に第２検出手段７が第３遊技球１ｃを検出すると、少なくとも当該第３期間の終了時から第１期間ｔａの終了時までの期間と当該一定期間ｔｂとを合わせた分だけ第２遊技球１ｂに基づいて可動体４の姿勢を変更させるタイミングが従来に比べてより早まる。したがって、従来よりも可動体４の姿勢を変更する機会をさらに多く与えることができる。
【００１０】
【課題を解決するための手段４】
課題を解決するための手段４は、所要領域を入賞または通過した第２遊技球を検出する第１検出手段と、その第１検出手段が検出した前記第２遊技球を有効なものとして記録する記録手段と、入賞容易な第１姿勢と入賞困難な第２姿勢との間で姿勢を変更可能な可動体および前記可動体が前記第１姿勢である間に入賞した第３遊技球を検出する第２検出手段を備えた入賞装置と、有効な前記第２遊技球のみに基づいて第１期間だけ所要パターンに従って前記可動体の姿勢の変更を制御する姿勢制御手段とを備えた遊技機において、前記第１期間中に前記第２検出手段が前記第３遊技球を検出しなかった場合には、前記第１期間の終了時から第２期間を遡った第２時期より前に前記所要領域を入賞または通過した前記第２遊技球を無効にし、前記第１期間中に前記第２検出手段が少なくとも一個の前記第３遊技球を検出した場合には、前記第２検出手段がいずれかの前記第３遊技球を検出したときから第２期間を遡った第２時期より前に前記所要領域を入賞または通過した前記第２遊技球を無効にする効力切換手段を有する遊技機である。当該手段４によれば、所要領域２を入賞または通過した第２遊技球１ｂを検出する第１検出手段３と、その第１検出手段３が検出した第２遊技球１ｂを有効なものとして記録する記録手段８と、入賞容易な第１姿勢と入賞困難な第２姿勢との間で姿勢を変更可能な可動体４および可動体４が第１姿勢である間に入賞した第３遊技球１ｃを検出する第２検出手段７を備えた入賞装置と、有効な第２遊技球１ｂのみに基づいて第１期間ｔａだけ所要パターンに従って可動体４の姿勢の変更を制御する姿勢制御手段５と、第１期間ｔａ中に第２検出手段７が第３遊技球１ｃを検出しなかった場合には第１期間ｔａの終了時から第２期間を遡った第２時期ｔｄより前に所要領域２を入賞または通過した第２遊技球１ｂを無効にし、第１期間ｔａ中に第２検出手段７が少なくとも一個の第３遊技球１ｃを検出した場合には第２検出手段７がいずれかの第３遊技球１ｃを検出したときから第２期間を遡った第２時期ｔｄより前に所要領域２を入賞または通過した第２遊技球１ｂを無効にする効力切換手段９を備える。よって第２時期ｔｄを決定するための基準時を第１期間ｔａを経過した後さらに一定期間ｔｂの終了時としていた従来に比べて、第２検出手段７が第３遊技球１ｃを検出しなかった場合でも当該一定期間ｔｂの分だけ第２遊技球１ｂに基づいて可動体４の姿勢を変更させるタイミングが早まる。また、第１期間ｔａ中に第２検出手段７が少なくとも一個の第３遊技球１ｃを検出すると、当該第３遊技球１ｃを検出したときから第１期間ｔａの終了時までの期間と当該一定期間ｔｂとを合わせた分だけ第２遊技球１ｂに基づいて可動体４の姿勢を変更させるタイミングが早まる。したがって、従来よりも可動体４の姿勢を変更する機会をより多く与えることができる。
【００１１】
【課題を解決するための手段５】
課題を解決するための手段５は、解決手段４に記載した遊技機において、姿勢制御手段は、第１期間を複数の第３期間で構成した場合には、前記第１期間中に第２検出手段が第３遊技球を検出せず、かつ前記第１期間の終了時から第２期間を遡った第２時期が前記第１時期よりも前であるときにのみ第２遊技球に基づいて前記第１期間だけ所要パターンに従って可動体の姿勢の変更を制御し、前記複数の第３期間のうちいずれかの第３期間中に前記第２検出手段が少なくとも一個の前記第３遊技球を検出し、かつ前記第２検出手段がいずれかの前記第３遊技球を検出したときから第２期間を遡った第２時期が前記第１時期よりも前であるときにのみ前記第２遊技球に基づいて前記第１期間だけ前記所要パターンに従って姿勢を変更する遊技機である。当該手段５によれば、姿勢制御手段５は、第１期間ｔａを複数の第３期間で構成した場合には、第１期間ｔａ中に第２検出手段７が第３遊技球１ｃを検出せずかつ第１期間ｔａの終了時から第２期間を遡った第２時期ｔｄが第１時期ｔｅよりも前であるときにのみ第２遊技球に基づいて第１期間ｔａだけ所要パターンに従って可動体４の姿勢の変更を制御し、複数の第３期間のうちいずれかの第３期間中に第２検出手段７が少なくとも一個の第３遊技球１ｃを検出しかつ第２検出手段７がいずれかの第３遊技球１ｃを検出したときから第２期間を遡った第２時期ｔｄが第１時期ｔｅよりも前であるときにのみ第２遊技球１ｂに基づいて第１期間ｔａだけ所要パターンに従って可動体４の姿勢の変更を制御する。よって特にいずれかの第３期間中に第２検出手段７が第３遊技球１ｃを検出すると、少なくとも当該第３期間の終了時から第１期間ｔａの終了時までの期間と当該一定期間ｔｂとを合わせた分だけ第２遊技球１ｂに基づいて可動体４の姿勢を変更させるタイミングが従来に比べてより早まる。したがって、従来よりも可動体４の姿勢を変更する機会をさらに多く与えることができる。
【００１２】
【発明の実施の形態】
以下、本発明における実施の形態を図面に基づいて説明する。
〔実施の形態１〕
実施の形態１は遊技機の一つであるパチンコ機に本発明を適用したものであって、大入賞口開放期間中は羽根を開放し続ける（すなわち１回のみの開放を行う）例である。当該実施の形態１は図３〜図１１を参照しながら説明する。
【００１３】
まず図３には、パチンコ機であるパチンコ機１０の外観を正面図で示す。図３においてパチンコ機１０の遊技盤面１２上には、入賞したパチンコ球を検出する始動口センサ４８，５２，３０をそれぞれ有する始動口５０，２６，２８、キャラクタ体２０や開閉可能な羽根５６，２４等を有する電動役物装置１４、発射されたパチンコ球を検出する発射センサ６０、アウト球を検出する排出センサ４６、その他に一般の入賞口や風車，釘などが適宜に配置されている。ここで、パチンコ球が始動口５０，２６，２８に入賞すると羽根５６，２４を作動させて大入賞口を開閉する。当該大入賞口は始動口５０，２８に入賞した場合には１回開閉し、同様に始動口２６に入賞した場合には２回開閉するようになっている。
なお、始動口５０，２６，２８は所要領域２に相当し、始動口センサ４８，５２，３０は第１検出手段３に相当し、羽根５６，２４は可動体４に相当する。
【００１４】
続いて電動役物装置１４の構成や作動等について、図４，図５を参照しながら説明する。図４（Ａ）には電動役物装置の外観を正面図で示し、図４（Ｂ）には図４（Ａ）に示すＡ−Ａ線矢視の断面図を示す。図５には一部を破断した電動役物装置を斜視図で示す。より詳しくは、キャラクタ体２０の停留部７８が閉じている状態を図５（Ａ）に示し、キャラクタ体２０の停留部７８が開いている状態を図５（Ｂ）にそれぞれ示す。
【００１５】
図４（Ａ）に示す電動役物装置１４は「センター役物」とも呼ばれ、入賞すると通常の個数の賞球を払い出す天入賞口８８（天穴）や、大当たり遊技の各ラウンドで入賞したパチンコ球Ｂの個数を表示する入賞数表示器８４、図柄等を表示可能な図柄表示器８６、大当たり遊技におけるラウンド数を表示するラウンド表示器６６、大入賞口６８，８２が開閉可能であって矢印Ｄ２，Ｄ４方向のそれぞれに往復運動可能に構成した羽根５６，２４、大入賞口６８，８２からそれぞれに入ったパチンコ球Ｂを検出する入賞センサ５８，２２、停留部７８が開閉可能であって恐竜を模して形成したキャラクタ体２０（振分装置）、入ったパチンコ球Ｂをキャラクタ体２０に向けて誘導する棚板８０、大当たり遊技における次回のラウンドを継続するための入賞口であってＶセンサ５４を備えたＶゾーン７０、天入賞口８８と同様の機能を有する通常入賞口７２，７４、Ｖゾーン７０または通常入賞口７２，７４に向けてパチンコ球Ｂを誘導する誘導板７６等を有する。キャラクタ体２０の顎（または口）を模した停留部７８は、所定個数（例えば１個または２個以上）のパチンコ球Ｂをほぼ同時に停留させることができる。また、棚板８０および誘導板７６における少なくとも一方の上面には、パチンコ球Ｂの転がり方向を変化させる（あるいは当該転がり方向を規制する）ために、凹凸が形成したり凹凸部材を設けている。
なお、羽根５６，２４は可動体４に相当し、入賞センサ５８，２２は第２検出手段７に相当する。また、実線で示す羽根５６，２４は入賞容易な第１姿勢に相当し、二点鎖線で示す羽根５６，２４は入賞困難な第２姿勢に相当する。
【００１６】
図４（Ｂ）に示す電動役物装置１４には、上記羽根５６，２４を往復運動させるソレノイド９０、モータ９４で発生させた回転トルクを所定方向（例えば矢印Ｄ１０に示す上下方向）の往復運動に変換してキャラクタ体２０の停留部７８にトルク伝達するトルク伝達機構９２、電動役物装置１４の室内を照らすランプ類９６、キャラクタ体２０の尻尾を模して形成した障害物９９を所定方向（例えば矢印Ｄ１２に示す上下方向）に往復運動させるソレノイド９８ｂ等を有する。なお、ソレノイド９８ｂはロッド９８ａを矢印Ｄ１４方向に伸縮させることによって障害物９９を往復運動させる。
【００１７】
上記のように構成された電動役物装置１４によれば、パチンコ球Ｂは例えば図４（Ａ）に示すように矢印Ｄ４に沿って大入賞口８２から入る。そして、Ｖゾーン７０に入賞するルートの一例として、パチンコ球Ｂは例えば図４（Ｂ）に示すように矢印Ｄ８に沿って棚板８０，キャラクタ体２０の停留部７８，誘導板７６を転がることになる。
キャラクタ体２０の停留部７８は、モータ９４の駆動態様（回転または非回転）やトルク伝達機構９２等によって所要の運動パターンに従って作動（開閉）する。当該運動パターンは後述するＲＯＭ１０２等に複数個が予め記録されている。停留部７８が閉じた状態では図５（Ａ）に示すように、パチンコ球Ｂは通常は矢印Ｄ１６に沿って転がるため、通常入賞口７２（あるいはＶゾーン７０に対して反対側の通常入賞口７４）に入り易くなる。一方、停留部７８が開いた状態では図５（Ｂ）に示すように、パチンコ球Ｂが矢印Ｄ１８に沿って転がって停留部７８に停留される。すると、その後はＶゾーン７０に入り易くなるが、障害物９９によってＶゾーン７０に入り難くなる場合もある。
【００１８】
また、始動口５０，２６，２８のいずれかに入賞したパチンコ球は、対応する始動口の始動口センサ４８，５２，３０によってそれぞれ検出される。これらの始動口センサ４８，５２，３０には近接センサを用いるが、接触センサ（例えばスイッチ，タッチパネル，圧力センサ等）や非接触センサ（例えば光センサや赤外線センサ等）を用いてもよい。パチンコ球の検出によって羽根２４，５６と障害物９９が上述した運動パターンに従って作動する。ここで、羽根２４，５６の開閉タイミングと障害物９９の運動タイミング等に応じて、電動役物装置１４に入ったパチンコ球がＶゾーン７０に入賞できる確率がほぼ１０％ぐらいになるように調整される。なお、図柄表示器８６において変動している図柄が所定図柄で停止する期待度が高くなるにつれて、電動役物装置１４に入ったパチンコ球がＶゾーン７０に入賞できる確率が高まるように設定するとなおよい。こうして、キャラクタ体２０は停留部７８や障害物９９が作動してパチンコ球を振り分ける点で振分装置に相当する。
【００１９】
次に、パチンコ機１０によるパチンコ遊技を実現するメイン制御基板１００について、その概略構成を示した図６を参照しながら説明する。このメイン制御基板１００は、例えばパチンコ機１０の背面側に設けられる。
図６において、姿勢制御手段５，効力切換手段９に相当するメイン制御基板１００は、ＣＰＵ（プロセッサ）１１０を中心に構成している。当該メイン制御基板１００は、遊技制御プログラム，所要の運動パターン，所要の開閉パターン等のデータを格納するＲＯＭ１０２、各種の乱数や信号等のデータを格納するＲＡＭ１０４、各種の入力装置から送られた信号を受けてメイン制御基板１００内で処理可能なデータ形式に変換する入力処理回路１０６、ＣＰＵ１１０から送られた作動データを受けて各種の出力装置を作動させる出力処理回路１１２、ＣＰＵ１１０から送られた表示データを受けて適宜に発光体への表示（点灯，点滅を含む。）を制御する表示制御回路１１４、枠制御基板２００等に所要の信号を送る通信制御回路１１６等を有する。これらの構成要素は、いずれもバス１１８に互いに結合している。
【００２０】
ＣＰＵ１１０はＲＯＭ１０２に格納された遊技制御プログラムを実行してパチンコ機１０による遊技を実現するが、当該遊技制御プログラムには後述する始動口処理等の手続きを実現するためのプログラムをも含む。ＲＯＭ１０２にはＥＰＲＯＭを用い、記録手段８に相当するＲＡＭ１０４にはＳＲＡＭを用いるが、他種のメモリを任意に用いてもよい。他種のメモリとしては、ＥＥＰＲＯＭ，ＤＲＡＭ，フラッシュメモリ等が該当する。入力処理回路１０６が検出信号等を受ける入力装置としては、例えば始動口センサ３０，４８，５２、Ｖセンサ５４、入賞センサ２２，５８、排出センサ４６、発射センサ６０等が該当する。出力処理回路１１２が信号を出力する出力装置としては、例えばソレノイド９０，９８ｂ、モータ９４等が該当する。表示制御回路１１４が表示制御する発光体としては、例えばラウンド表示器６６，図柄表示器８６，入賞数表示器８４，ランプ類１６等が該当する。通信制御回路１１６は、必要に応じてさらに図示しない音制御基板やホールコンピュータ等に対しても所要のデータを送ることもできる。
【００２１】
上記のように構成したパチンコ機１０において、本発明を実現するためにメイン制御基板１００で行う手続きについて図７〜図９を参照しながら説明する。ここで図７には始動口に入賞したパチンコ球に基づいて羽根の開閉を実現する始動口処理の手続きを、図８には大入賞口開放期間中に始動口に入賞したパチンコ球の有効・無効を決定する効力決定処理の手続きを、図９には大入賞口に入賞したパチンコ球に基づいてＶセンサの無効時期と始動口の有効時期を決定する大入賞口処理の手続きをそれぞれフローチャートで示す。これらの手続きは、いずれも図６に示すメイン制御基板１００のＲＯＭ１０２に格納されている遊技制御プログラムをＣＰＵ１１０が適当なタイミング（例えば４ミリ秒ごとの周期）で実行することによって実現される。
なお始動口２６，２８，５０は同等に機能するので、説明を簡単にするために始動口５０のみを例にして説明する。また入賞センサ２２，５８は同等に機能するので、説明を簡単にするために入賞センサ５８のみを例にして説明する。さらに図７に示すステップＳ２４は姿勢制御手段５を具体化した処理ステップであり、図８に示す効力決定処理は効力切換手段９を具体化した手続きである。
【００２２】
図７に示す始動口処理では、パチンコ球が始動口５０に入賞したか否かを判別する〔ステップＳ１０〕。具体的には、図３，図６に示す始動口センサ４８から検出信号を受けると入賞した（ＹＥＳ）と判別し、当該検出信号を受けなければ入賞していない（ＮＯ）と判別する。パチンコ球が有効か否かはＲＡＭ１０４に記録した効力フラグに基づいて判別する。始動口５０にパチンコ球が入賞した場合には（ＹＥＳ）、賞球を払い出し〔ステップＳ１２〕、次の判別に進む。
そしてパチンコ球が始動口５０に入賞したタイミングがインターバル期間中でなく（ステップＳ１４のＮＯ）、かつ大入賞口開放期間前であるときは（ステップＳ１６のＹＥＳ）、Ｖセンサ５４の作動を有効にするとともに〔ステップＳ１８〕、始動口センサ４８の作動を無効にし〔ステップＳ２２〕、大入賞口の開閉動作を行うべく大入賞口開放処理を実行する〔ステップＳ２４〕。大入賞口開放処理では所要の開閉パターンに従って羽根２４，５６の開閉を行うが、その具体的な手続きについては周知であるので説明および図示を省略する。大入賞口開放処理を終えると、始動口処理を終了する。
【００２３】
一方、パチンコ球が始動口５０に入賞したタイミングがインターバル期間中でなく（ステップＳ１４のＮＯ）、かつ大入賞口開放期間中または経過後であるときは（ステップＳ１６のＮＯ）、上記図７のステップＳ２２で無効にした始動口センサ４８を有効にする有効時期を決定するべく効力決定処理を実行し〔ステップＳ２０〕、始動口処理を終了する。ここで効力決定処理の具体的な手続きについて、図８を参照しながら説明する。
【００２４】
図８に示す効力決定処理では、まず大入賞口開放期間を経過したか否かを判別する〔ステップＳ３０〕。このように大入賞口開放期間が経過するのを待つのは、後述する大入賞口処理で示すように、当該大入賞口開放期間中に大入賞口にパチンコ球が入賞するか否かで始動口センサ４８の作動を有効にする時期（以下「始動口センサ４８の有効時期」と呼ぶ。）が変わってくるためである。よって大入賞口開放期間を経過する前は（ＮＯ）、そのまま効力決定処理を終了して始動口５０への入賞が有効か否かは決定しない。
そして大入賞口開放期間を経過すると（ＹＥＳ）、始動口５０への入賞が有効か否かを決定する。すなわち、始動口センサ４８の有効時期が始動口５０に入賞した時期（以下「始動口５０への入賞時」と呼ぶ。）よりも前であれば（ステップＳ３２のＹＥＳ）、当該始動口５０への入賞を有効と決定する〔ステップＳ３４〕。具体的には効力フラグを有効に設定してＲＡＭ１０４に記憶する。一方、始動口センサ４８の有効時期が始動口５０への入賞時よりも後であれば（ステップＳ３２のＮＯ）、当該始動口５０への入賞を無効と決定する〔ステップＳ３４〕。具体的には効力フラグを無効に設定してＲＡＭ１０４に記憶する。こうして効力決定処理を終了する。
【００２５】
上記効力決定処理によって効力フラグを有効に設定した場合には、羽根２４，５６の開閉を行う今回の大入賞口開放期間を経過した後に、再び羽根２４，５６の開閉を行う。すなわち図７の始動口処理において、大入賞口開放期間中に始動口５０に入賞したパチンコ球が有効となり（ステップＳ１０のＹＥＳ）、インターバル期間中でもなく（ステップＳ１４のＮＯ）、大入賞口開放期間前であるので（ステップＳ１６のＹＥＳ）、大入賞口開放処理を実行する〔ステップＳ２４〕。なお賞球の払い出しは既に終えているので、この場合にはステップＳ１２を実行しない。
【００２６】
次に、図７に示す始動口処理と並行して実行する大入賞口処理について、図９を参照して説明する。当該大入賞口処理では、まずパチンコ球が大入賞口８２，６８に入賞したか否かを判別する〔ステップＳ４０〕。もし大入賞口６８，８２に入賞したならば（ＹＥＳ）、始動口センサ４８の有効時期を決定するための基準時を大入賞口６８，８２への入賞時とする〔ステップＳ４２〕。その後、Ｖセンサ５４の作動を無効にする時期（以下「Ｖセンサ５４の無効時期」と呼ぶ。）と、始動口センサ４８の有効時期を決定する。すなわちステップＳ４２で設定した基準時に基づいてＶセンサ５４の無効時期を決定するとともに当該無効時期からＶセンサ５４の作動を無効にし〔ステップＳ４６〕、さらに当該Ｖセンサ５４の無効時期に基づいて始動口センサ４８の有効時期を決定するとともに当該有効時期から始動口センサ４８の作動を有効にする〔ステップＳ４８〕。例えば基準時から一定期間（例えば２秒間）経過した時期をＶセンサ５４の無効時期とし、当該無効時期から遡及期間（例えば３秒間）だけ遡った時期を始動口センサ４８の有効時期とする。
一方、ステップＳ４０においてパチンコ球が大入賞口６８，８２に入賞していないならば（ＮＯ）、Ｖセンサ５４の無効時期を大入賞口開放期間の終了時として当該終了時からＶセンサ５４の作動を無効にし〔ステップＳ４４〕、さらに当該Ｖセンサ５４の無効時期に基づいて始動口センサ４８の有効時期を決定するとともに当該有効時期から始動口センサ４８の作動を有効にする〔ステップＳ４８〕。こうして大入賞口処理を終了する。
【００２７】
さて図７〜図９に示すそれぞれの処理を実行して羽根２４，５６を作動する態様の例、すなわち作動態様ａ，ｂについて図１０，図１１を参照しながら説明する。図１０，図１１では上から順番に、始動口５０、羽根２４，５６、大入賞口６８，８２、Ｖセンサ５４、始動口センサ４８、従来のＶセンサ５４、従来の始動口センサ４８の作動等について時系列的な変化を示す。なお、上記フローチャートの説明と同様に説明を簡単にするために、図３に示す始動口５０と羽根５６側の大入賞口８２にパチンコ球がそれぞれ入賞する例について以下説明する。
【００２８】
〔作動態様ａ〕
図１０に示す作動態様ａは、大入賞口開放期間中にパチンコ球が大入賞口８２に入賞する態様である。始動口５０に入賞したパチンコ球Ｂ２を始動口センサ４８が時刻ｔ１０に検出したのを受けて（図７に示すステップＳ１０のＹＥＳ）、Ｖセンサ５４の作動を有効にし（図７に示すステップＳ１８）、始動口センサ４８の作動を無効にし（図７に示すステップＳ２２）、さらには時刻ｔ１０からインターバル期間ｔｆ（例えば３秒間）を経過した時刻ｔ１２に羽根２４，５６を開放して大入賞口開放期間ｔｇ（例えば４秒間）を経過した後の時刻ｔ２２に羽根２４，５６を閉鎖する（図７に示すステップＳ２４）。
そして、羽根２４，５６を開放している大入賞口開放期間ｔｇ中にパチンコ球Ｂ６が大入賞口８２に入賞したのを入賞センサ５８が時刻ｔ１８に検出すると（図７に示すステップＳ１０のＹＥＳ）、大入賞口開放期間ｔｇ中であるので（図７に示すステップＳ１６のＮＯ）、当該入賞の効力が有効か無効かを決定する（図７に示すステップＳ２０）。この場合は大入賞口開放期間ｔｇ中であるので（図８に示すステップＳ３０のＹＥＳ）、入賞時としての時刻ｔ１８が基準時となる（図８に示すステップＳ３２）。よって、Ｖセンサ５４の無効時期は時刻ｔ１８から一定期間ｔｂ（例えば２秒間）を経過した後の時刻ｔ２４となり、始動口センサ４８の有効時期は時刻ｔ２４から遡及期間ｔｃ（例えば３秒間）を遡った時刻ｔ１４となる。ここで始動口センサ４８の有効時期である時刻ｔ１４は、別個のパチンコ球Ｂ４が始動口５０に入賞した時刻ｔ１６よりも前であるので（図８に示すステップＳ３２のＹＥＳ）、当該パチンコ球Ｂ４の入賞は有効になる（図８に示すステップＳ３４）。
【００２９】
従来のパチンコ機では、大入賞口開放期間ｔｇの終了時である時刻ｔ２２から一定期間ｔｂを経過した後の時刻ｔ２６をＶセンサ５４の無効時期とし、当該時刻ｔ２６から遡及期間ｔｃだけ遡った時刻ｔ２０を始動口センサ４８の有効時期としていた。これに対してパチンコ機１０では、上述した作動態様ａのように時刻ｔ１４が始動口センサ４８の有効時期となる。よって、大入賞口８２に入賞したパチンコ球Ｂ６を入賞センサ５８が検出した時刻ｔ１８から大入賞口開放期間ｔｇの終了時である時刻ｔ２２までの期間だけパチンコ機１０のほうが始動口センサ４８の有効時期が早まる。その結果、時刻ｔ１６に始動口５０に入賞したパチンコ球Ｂ４は、従来のパチンコ機では無効となったが、パチンコ機１０では有効となる。パチンコ球Ｂ４が有効となることにより、上記大入賞口開放期間ｔｇの経過後にさらに羽根２４，５６を開く。したがって、従来よりも羽根２４，５６の姿勢を変更する機会をより多く与えることができる。
なお、大入賞口開放期間ｔｇ中に複数個のパチンコ球が始動口５０に入賞した場合には、いずれのパチンコ球（例えば最後に入賞したパチンコ球）の入賞時を基準にして始動口センサ４８の有効時期を決定してもよい。この場合であっても、上述した効果を得ることができる。
【００３０】
〔作動態様ｂ〕
図１１に示す作動態様ｂは、大入賞口開放期間ｔｇ中にはパチンコ球がいずれの大入賞口６８，８２に入賞しない態様である。なお説明を簡単にするために、図１０に示す要素と同一の要素については同一符号を付して作動の説明を省略する。また、他の条件についても作動態様ａと同様である。
この作動態様ｂでは大入賞口開放期間ｔｇ中にいずれの大入賞口６８，８２にもパチンコ球が入賞しなかったため（図９に示すステップＳ４０のＮＯ）、Ｖセンサ５４の無効時期は大入賞口開放期間ｔｇの終了時すなわち時刻ｔ２２となり（図９に示すステップＳ４４）、さらに時刻ｔ２２から遡及期間ｔｃだけ遡った時刻ｔ１３が始動口センサ４８の有効時期となる（図９に示すステップＳ４８）。ここで始動口センサ４８の有効時期である時刻ｔ１３は、別個のパチンコ球Ｂ４が始動口５０に入賞した時刻ｔ１６よりも前であるので（図８に示すステップＳ３２のＹＥＳ）、当該パチンコ球Ｂ４の入賞は有効になる（図８に示すステップＳ３４）。
【００３１】
作動態様ａにおいて説明したように、従来のパチンコ機では時刻ｔ２０が始動口センサ４８の有効時期となる。これに対してパチンコ機１０では、上述した作動態様ｂのように時刻ｔ１３が始動口センサ４８の有効時期となる。よって、一定期間ｔｂだけパチンコ機１０のほうが始動口センサ４８の有効時期が早まる。その結果、時刻ｔ１６に始動口５０に入賞したパチンコ球Ｂ４は、従来のパチンコ機では無効となったが、パチンコ機１０では有効となる。パチンコ球Ｂ４が有効となることにより、上記大入賞口開放期間ｔｇの経過後にさらに羽根２４，５６を開く。したがって、従来よりも羽根２４，５６の姿勢を変更する機会をより多く与えることができる。
【００３２】
上記実施の形態１によれば、以下に示す効果を得ることができる。
（１）図１０に示す作動態様ａを例にすると、メイン制御基板１００（姿勢制御手段５）は、大入賞口開放期間ｔｇ（第１期間ｔａ）中に入賞センサ５８（第２検出手段７）がパチンコ球Ｂ６（第３遊技球１ｃ）を時刻ｔ１８に検出し、かつ当該時刻ｔ１８から第２期間（時刻ｔ１４から時刻ｔ１８までの期間）を遡った時刻ｔ１４（第２時期ｔｄ）が、パチンコ球Ｂ４（第２遊技球１ｂ）の入賞を検出した時刻ｔ１６（第１時期ｔｅ）よりも前であるときにのみ当該パチンコ球Ｂ４に基づいて大入賞口開放期間ｔｇだけ羽根２４，５６を開放（可動体４の姿勢の変更を制御）した｛図７に示す始動口処理を参照｝。よって、始動口５０に入賞したパチンコ球Ｂ４が有効になる第２時期ｔｄが従来よりも早まるので、羽根２４，５６を開放する機会をより多く与えることができる。したがって、遊技者は賞球を得る機会がより多くなる。
【００３３】
（２）図１１に示す作動態様ｂを例にすると、メイン制御基板１００は、大入賞口開放期間ｔｇ中に入賞センサ５８がパチンコ球Ｂ６を検出せず、かつ大入賞口開放期間ｔｇの終了時から第２期間を遡った時刻ｔ１３（第２時期ｔｄ）が、パチンコ球Ｂ４の入賞を検出した時刻ｔ１６よりも前であるときにのみパチンコ球Ｂ６に基づいて大入賞口開放期間ｔｇだけ羽根２４，５６を開放（可動体４の姿勢の変更を制御）した｛図７に示す始動口処理を参照｝。よって、始動口５０に入賞したパチンコ球Ｂ４が有効になる第２時期ｔｄが従来よりも早まるので、羽根２４，５６を開放する機会をより多く与えることができる。したがって、遊技者は賞球を得る機会がより多くなる。
【００３４】
（３）メイン制御基板１００（効力切換手段９）は、大入賞口開放期間ｔｇ中に入賞センサ５８がパチンコ球Ｂ６を検出しなかった場合には大入賞口開放期間ｔｇの終了時から第２期間を遡った時刻ｔ１３（第２時期ｔｄ）より前に始動口５０を入賞したパチンコ球Ｂ４を無効にした｛図８のステップＳ３６，図１１を参照｝。また、大入賞口開放期間ｔｇに入賞センサ５８がパチンコ球Ｂ６を検出した場合には当該入賞センサ５８がパチンコ球Ｂ６を検出した時刻ｔ１８から第２期間を遡った時刻ｔ１４（第２時期ｔｄ）より前に始動口５０を入賞したパチンコ球Ｂ４を無効にした｛図８のステップＳ３６，図１０を参照｝。よって、始動口５０に入賞したパチンコ球Ｂ４が有効になる第２時期ｔｄが従来よりも早まるので、羽根２４，５６を開放する機会をより多く与えることができる。したがって、遊技者は賞球を得る機会がより多くなる。
【００３５】
〔実施の形態２〕
実施の形態２は実施の形態１と同様にパチンコ機１０に本発明を適用したものであって、大入賞口開放期間のうち複数の第３期間でのみ羽根を開放する例である。本実施の形態２は図１２〜図１４を参照しながら説明する。
なお、パチンコ機１０の構成等は実施の形態１と同様であるので、図示および説明を簡単にするために実施の形態２では実施の形態１と異なる点について説明する。よって図１２〜図１４において実施の形態１に示す要素と同一の要素には同一の符号を付して説明を省略する。
【００３６】
実施の形態２では、パチンコ球が始動口２６に入賞して大入賞口開放期間ｔｇ中に羽根２４，５６の開閉を２回（複数回）だけ行うものである。ここでは、大入賞口開放期間ｔｇ中に羽根２４，５６を開放する開放期間ｔｈ，ｔｉがあるものとして説明を進めることにする。
図９の大入賞口処理に代わる図１２の大入賞口処理では、ステップＳ４０において大入賞口６８，８２に入賞したならば（ＹＥＳ）、入賞した開放期間における所定時を大入賞口６８，８２への入賞時とする〔ステップＳ４３〕。所定時としては入賞時を適用するが、当該開放期間の開始時や終了時あるいは中間時等としてもよい。さらには遊技状態等に応じて所定時を変化させてもよい。一方、ステップＳ４０においてパチンコ球が大入賞口６８，８２に入賞していないならば（ＮＯ）、Ｖセンサ５４の無効時期を最終開放期間の終了時（すなわち大入賞口開放期間ｔｇの終了時）として当該終了時からＶセンサ５４の作動を無効にする〔ステップＳ４５〕。なお、Ｖセンサ５４の無効時期と始動口センサ４８の有効時期とについての決定方法は実施の形態１と同様である〔ステップＳ４６，Ｓ４８〕。
【００３７】
さて図７，図８，図１３に示すそれぞれの処理を実行して羽根２４，５６を作動する態様の例、すなわち作動態様ｃ，ｄについて図１３，図１４を参照しながら説明する。図１３，図１４は図１０，図１１と同様に各種装置の作動について時系列的な変化を示す。なお、上記フローチャートの説明と同様に説明を簡単にするために、図３に示す始動口２６と羽根５６側の大入賞口８２にパチンコ球がそれぞれ入賞する例について説明する。
【００３８】
〔作動態様ｃ〕
図１３に示す作動態様ｃは、開放期間ｔｈ，ｔｉ中にパチンコ球Ｂ１０，Ｂ１２がそれぞれ大入賞口８２に入賞する態様である。始動口２６に入賞したパチンコ球Ｂ６を始動口センサ５２が時刻ｔ３０に検出したのを受けて（図７に示すステップＳ１０のＹＥＳ）、Ｖセンサ５４の作動を有効にし（図７に示すステップＳ１８）、始動口センサ５２の作動を無効にする（図７に示すステップＳ２２）。さらに、時刻ｔ３０からインターバル期間ｔｆを経過した時刻ｔ３２から時刻ｔ３６までの開放期間ｔｈと、時刻ｔ４０から時刻ｔ４８までの開放期間ｔｉとで羽根２４，５６を開放する（図７に示すステップＳ２４）。
そして、羽根２４，５６を開放している開放期間ｔｈ中にパチンコ球Ｂ１０が大入賞口８２に入賞したのを入賞センサ５８が時刻ｔ３４に検出し、さらに開放期間ｔｉ中にパチンコ球Ｂ１２が大入賞口８２に入賞したのを入賞センサ５８が時刻ｔ４６に検出すると（図７に示すステップＳ１０のＹＥＳ）、それぞれの入賞の効力が有効か無効かを決定する（図７に示すステップＳ２０）。いずれか少なくとも一方の入賞を有効としてもよいが、この場合は最後の入賞を有効として時刻ｔ４６を基準時とする（図８に示すステップＳ３２）。よって、Ｖセンサ５４の無効時期は時刻ｔ４６から一定期間ｔｂを経過した後の時刻ｔ５０となり、始動口センサ５２の有効時期は時刻ｔ５０から遡及期間ｔｃを遡った時刻ｔ３８となる。ここで、別個のパチンコ球Ｂ８が時刻ｔ４２に始動口２６に入賞した場合には、始動口センサ５２の有効時期である時刻ｔ３８よりも後であるので（図８に示すステップＳ３２のＹＥＳ）、当該パチンコ球Ｂ８の入賞は有効になる（図８に示すステップＳ３４）。
なお、開放期間ｔｈ中に入賞したパチンコ球Ｂ１０を有効とする場合には、始動口センサ５２の有効時期は上記時刻ｔ３８よりさらに遡るのでパチンコ球Ｂ８の入賞は有効になる。また、いずれか一の開放期間中に複数個のパチンコ球が始動口２６に入賞した場合において、始動口センサ５２の有効時期を決定する方法は上述した作動態様ａと同様としてもよい。
【００３９】
従来のパチンコ機では、大入賞口開放期間ｔｇの終了時である時刻ｔ４８から一定期間ｔｂを経過した後の時刻ｔ５２をＶセンサ５４の無効時期とし、当該時刻ｔ５２から遡及期間ｔｃだけ遡った時刻ｔ４４を始動口センサ５２の有効時期としていた。これに対してパチンコ機１０では、上述した作動態様ｃのように時刻ｔ３８が始動口センサ５２の有効時期となる。よって、大入賞口８２に入賞したパチンコ球Ｂ１２を入賞センサ５８が検出した時刻ｔ４６から大入賞口開放期間ｔｇの終了時である時刻ｔ４８までの期間だけパチンコ機１０のほうが始動口センサ５２の有効時期が早まる。その結果、時刻ｔ４２に始動口２６に入賞したパチンコ球Ｂ８は、従来のパチンコ機では無効となったが、パチンコ機１０では有効となる。パチンコ球Ｂ８が有効となることにより、上記大入賞口開放期間ｔｇの経過後にさらに羽根２４，５６を開く。したがって、従来よりも羽根２４，５６の姿勢を変更する機会をより多く与えることができる。
【００４０】
〔作動態様ｄ〕
図１４に示す作動態様ｄは、いずれの開放期間ｔｈ，ｔｉ中にもパチンコ球がいずれの大入賞口６８，８２に入賞しない態様である。なお説明を簡単にするために、図１３に示す要素と同一の要素については同一符号を付して作動の説明を省略する。また、他の条件についても作動態様ｃと同様である。
この作動態様ｄではいずれの開放期間ｔｈ，ｔｉ中にも大入賞口６８，８２にもパチンコ球が入賞しなかったため（図１３に示すステップＳ４０のＮＯ）、Ｖセンサ５４の無効時期は大入賞口開放期間ｔｇの終了時すなわち時刻ｔ４８となり（図９に示すステップＳ４４）、さらに時刻ｔ４８から遡及期間ｔｃだけ遡った時刻ｔ３５が始動口センサ５２の有効時期となる（図９に示すステップＳ５２）。ここで始動口センサ５２の有効時期である時刻ｔ３５は、別個のパチンコ球Ｂ８が始動口２６に入賞した時刻ｔ４２よりも前であるので（図８に示すステップＳ３２のＹＥＳ）、当該パチンコ球Ｂ８の入賞は有効になる（図８に示すステップＳ３４）。
【００４１】
作動態様ｃにおいて説明したように、従来のパチンコ機では時刻ｔ４４が始動口センサ５２の有効時期となる。これに対してパチンコ機１０では、上述した作動態様ｄのように時刻ｔ３５が始動口センサ５２の有効時期となる。よって、一定期間ｔｂだけパチンコ機１０のほうが始動口センサ５２の有効時期が早まる。その結果、時刻ｔ４２に始動口２６に入賞したパチンコ球Ｂ８は、従来のパチンコ機では無効となったが、パチンコ機１０では有効となる。パチンコ球Ｂ８が有効となることにより、上記大入賞口開放期間ｔｇの経過後にさらに羽根２４，５６を開く。したがって、従来よりも羽根２４，５６の姿勢を変更する機会をより多く与えることができる。
【００４２】
大入賞口開放期間ｔｇ（第１期間ｔａ）を開放期間ｔｈ，ｔｉ（複数の第３期間）で構成した実施の形態２によれば、以下に示す効果を得ることができる。このことは、大入賞口開放期間ｔｇを三以上の開放期間によって構成した場合（すなわち断続的に開閉を行う場合）であっても同様である。
（１）図１３に示す作動態様ｃを例にすると、メイン制御基板１００（姿勢制御手段５）は、入賞した最後の開放期間ｔｉ中に入賞センサ５８（第２検出手段７）がパチンコ球Ｂ１２（第３遊技球１ｃ）を時刻ｔ４６に検出し、かつ大入賞口開放期間ｔｇの終了時から第２期間を遡った時刻ｔ３８（第２時期ｔｄ）がパチンコ球Ｂ８が始動口２６に入賞した時刻ｔ４２（第１時期ｔｅ）よりも前であるときにのみパチンコ球Ｂ８に基づいて大入賞口開放期間ｔｇだけ羽根２４，５６を開放（可動体４の姿勢の変更を制御）した｛図７に示す始動口処理を参照｝。よって、始動口２６に入賞したパチンコ球Ｂ８が有効になる第２時期ｔｄが従来よりも早まるので、羽根２４，５６を開放する機会をより多く与えることができる。したがって、遊技者は賞球を得る機会がより多くなる。
【００４３】
（２）図１４に示す作動態様ｄを例にすると、メイン制御基板１００は、いずれの開放期間ｔｈ，ｔｉ中にも入賞センサ５８がパチンコ球Ｂ１０（第３遊技球１ｃ）を検出せず、かつ大入賞口開放期間ｔｇの終了時から第２期間を遡った時刻ｔ３５（第２時期ｔｄ）がパチンコ球Ｂ８が始動口２６に入賞した時刻ｔ４２よりも前であるときにのみパチンコ球Ｂ８に基づいて大入賞口開放期間ｔｇだけ羽根２４，５６を開放（可動体４の姿勢の変更を制御）した｛図７に示す始動口処理を参照｝。よって、始動口２６に入賞したパチンコ球Ｂ８が有効になる第２時期ｔｄが従来よりも早まるので、羽根２４，５６を開放する機会をより多く与えることができる。したがって、遊技者は賞球を得る機会がより多くなる。
【００４４】
〔他の実施の形態〕
上述したパチンコ機１０（遊技機）において、他の部分の構造，形状，大きさ，材質，配置および動作条件等については、上記実施の形態に限定されるものでない。例えば、上記実施の形態を応用した次の各形態を実施することもできる。
（１）上記各実施の形態では、パチンコ機１０に本発明を適用した。この形態に代えて、パチンコ機以外の他の遊技機（例えばアレンジボール機，雀球遊技機，テレビゲーム機等）であって第１検出手段，記録手段，入賞装置，姿勢制御手段を備えたものにも同様に本発明を適用することができる。当該他の遊技機であっても、第２遊技球に基づいて可動体の姿勢を変更するタイミングが早まるので、従来よりも可動体の姿勢を変更する機会をより多く与えることができる。
【００４５】
（２）上記実施の形態１では、大入賞口開放期間ｔｇ中にパチンコ球が大入賞口６８，８２に入賞した場合には、当該入賞時を基準時とした（図９のステップＳ４２）。この形態に代えて、大入賞口開放期間ｔｇの開始時や中間時等の所定時を基準時としてもよい。かかる基準時でも、大入賞口開放期間ｔｇの終了時を基準時としていた従来よりは始動口２６，２８，５０の有効時期を早めることができる。
【００４６】
（３）上記各実施の形態では、所要領域２として始動口２６，２８，５０を適用した（図３を参照）。この形態に代えて、遊技球の入賞または通過が可能な領域であって遊技機の遊技盤面に設けられているもの（例えば入賞口やゲート等）についても同様に適用することができる。
また、可動体４として電動役物装置１４に備えた羽根２４，５６を適用した（図３を参照）。この形態に代えて、羽根２４，５６の可変動作が可能なもの（例えばチューリップと呼ばれる可動翼片や回転動作が可能な回転体等）についても同様に適用することができる。
【００４７】
（４）上記各実施の形態では、記録手段８としてＲＡＭ１０４を適用した（図６を参照）。この形態に代えて、例えば図６に示すＲＯＭ１０２や枠制御基板２００内のＲＯＭやＲＡＭ、通信制御回路１１６に通信回線を介して接続されるホールコンピュータ等の管理コンピュータ、入力処理回路１０６，出力処理回路１１２および通信制御回路１１６等を通じてアクセス可能な記録媒体や伝送媒体等についても同様に適用することができる。記録媒体は所要のデータ等を記録する機能を有する媒体を意味し、例えば光（光磁気）ディスク、フレキシブルディスク、ＩＣカード，紙カード，磁気カードのようなカード類、あるいは文字，符号，記号（バーコードを含む）等を印刷した印刷物等が該当する。伝送媒体は通信網や通信線路などのように情報を伝送する機能を有する媒体を意味し、例えばインターネットやＬＡＮ等を介して所要のデータ等をアクセス可能なコンピュータ等が該当する。
【００４８】
【発明の効果】
本発明によれば、第２遊技球に基づいて可動体の姿勢を変更するタイミングが早まるので、従来よりも可動体の姿勢を変更する機会をより多く与えることができる。
【図面の簡単な説明】
【図１】本発明の概念を示す模式図（タイムチャート）である。
【図２】本発明の概念を示す模式図（タイムチャート）である。
【図３】パチンコ機の外観を示す正面図である。
【図４】電動役物装置を示す正面図と断面図である。
【図５】一部を破断した電動役物装置を示す斜視図である。
【図６】メイン制御基板の概略構成を示すブロック図である。
【図７】始動口処理を示すフローチャートである。
【図８】効力設定処理を示すフローチャートである。
【図９】大入賞口処理を示すフローチャートである。
【図１０】大入賞口開放期間中に入賞した例を示すタイムチャートである。
【図１１】大入賞口開放期間中に入賞しなかった例を示すタイムチャートである。
【図１２】効力設定処理を示すフローチャートである。
【図１３】いずれかの開放期間中に入賞した例を示すタイムチャートである。
【図１４】いずれの開放期間中にも入賞しなかった例を示すタイムチャートである。
【符号の説明】
１ａ  第１遊技球
１ｂ  第２遊技球
１ｃ  第３遊技球
２  所要領域
３  第１検出手段
４  可動体
５  姿勢制御手段
７  第２検出手段
８  記録手段
９  効力切換手段
１０  パチンコ機（遊技機）
１４  電動役物装置（入賞装置）
２０  キャラクタ体
２２，５８  入賞センサ（第２検出手段）
２４，５６  羽根（可動体）
２６，２８，５０  始動口（所要領域）
３０，４８，５２  始動口センサ（第１検出手段）
５４  Ｖセンサ
７０  Ｖゾーン
７２，７４  入賞口
７８  停留部
６８，８２  大入賞口
９９  障害物
１００  メイン制御基板（姿勢制御手段，効力切換手段）
１０２  ＲＯＭ
１０４  ＲＡＭ（記録手段）
１０６  入力処理回路
１１０  ＣＰＵ
１１２  出力処理回路
１１４  表示制御回路
１１６  通信制御回路
２００  枠制御基板
【図１】
0004333825.tif 000002
【図２】
0004333825.tif 000003
【図３】
0004333825.tif 000004
【図４】
0004333825.tif 000005
【図５】
0004333825.tif 000006
【図６】
0004333825.tif 000007
【図７】
0004333825.tif 000008
【図８】
0004333825.tif 000009
【図９】
0004333825.tif 000010
【図１０】
0004333825.tif 000011
【図１１】
0004333825.tif 000012
【図１２】
0004333825.tif 000013
【図１３】
0004333825.tif 000014
【図１４】
0004333825.tif 000015